【手続補正書】
【提出日】平成17年10月11日(2005.10.11)
【手続補正１】
【補正対象書類名】明細書
【補正対象項目名】発明の名称
【補正方法】変更
【補正の内容】
【発明の名称】ネットワークシステムおよび画像形成装置および電力制御方法
【手続補正２】
【補正対象書類名】明細書
【補正対象項目名】特許請求の範囲
【補正方法】変更
【補正の内容】
【特許請求の範囲】
【請求項１】  ネットワークに接続可能であって通常待機時より消費電力の少ない低消費電力モードを有する画像形成装置と、前記ネットワークを管理するサーバ装置と、前記ネットワークに接続される情報処理装置とで構成されるネットワークシステムにおいて、
前記画像形成装置は、
前記画像形成装置のステータスを検知する検知手段と、
前記低消費電力モードへの移行時及び前記検知手段で検知されるステータス情報に変化があった時のみ、前記ステータス情報を前記サーバ装置に通知するよう制御する第１の制御手段と、を有するものであり、
前記サーバ装置は、
前記画像形成装置から送信される前記画像形成装置のステータス情報を保持する保持手段と、
前記画像形成装置の低消費電力モード時に、前記情報処理装置からの前記画像形成装置への問い合わせを代行して、前記保持手段に保持される前記画像形成装置のステータス情報を前記情報処理装置に応答通知するよう制御する第２の制御手段と、
を有することを特徴とするネットワークシステム。
【請求項２】  ネットワーク接続手段を介してネットワークに接続可能であって通常待機時より消費電力の少ない低消費電力モードを有する画像形成装置において、
前記画像形成装置のステータスを検知する検知手段と、
前記低消費電力モード時以外では、前記ネットワーク接続手段から前記画像形成装置のステータスの問い合わせがあった時に、前記検知手段で検知されたステータス情報を通知し、前記低消費電力モード時では、通常動作時より消費電力の少ないスリープ状態となる第１の制御手段と、
前記低消費電力モード時では、前記検知手段で検知されたステータス情報を認識し、該ステータスに変化があった場合に第１の制御手段へ前記スリープ状態からの復帰を要求する信号を出力する第２の制御手段と、
を有することを特徴とする画像形成装置。
【請求項３】  前記スリープ状態は、第１の制御手段の動作が停止する状態であり、
前記低消費電力モード時には、前記検知手段からのステータスを前記第１の制御手段へ接続し、前記低消費電力モード時には、前記検知手段からのステータスを前記第２の制御手段へ接続するステータス信号切替手段を有することを特徴とする請求項２記載の画像形成装置。
【請求項４】  前記第１の制御手段は、スリープ状態から通常動作状態になったことを示す第１の信号を前記第２の制御手段に出力するものであり、前記第２の制御手段は、前記第１の制御手段から出力される第１の信号に応じて、前記検知手段で検知されたステータスを前記第１の制御手段に転送することを特徴とする請求項３記載の画像形成装置。
【請求項５】  前記ネットワーク接続手段は、前記ネットワークから低消費電力モードからの復帰を要求するコマンドを認識して、前記第２の信号を出力するものであり、
前記第２の制御手段は、前記低消費電力モード時に、前記ネットワーク接続手段から出力される第２の信号に応して、前記第１の制御手段へ前記スリープ状態からの復帰を要求する信号を出力することを特徴とする請求項４記載の画像形成装置。
【請求項６】  通常待機時より消費電力の少ない低消費電力モードを有する画像形成装置において、
前記画像形成装置の主たる制御を行う第１の制御手段と、
前記低消費電力モードか否かに応じて、前記第１の制御手段の通常動作時より消費電力の少ないスリープ状態への移行及び前記スリープ状態からの復帰を制御する第２の制御手段と、
前記画像形成装置のステータスを検知する検知手段と、
前記低消費電力モードか否かに応じて、前記検知手段により検知されるステータス群をシリアル通信で前記第１の制御手段又は第２の制御手段へ選択的に通信する通信手段と、
を有することを特徴とする画像形成装置。
【請求項７】  前記通信手段は、前記低消費電力モード時には、前記検知手段により検知されるステータス群を前記第２の制御手段へ通信し、前記低消費電力モード時以外には、前記検知手段により検知されるステータス群を前記第１の制御手段へ通信することを特徴とする請求項６記載の画像形成装置。
【請求項８】  前記第１の制御手段及び第２の制御手段は、前記第１の制御手段の前記スリープ状態への移行時及び前記第１の制御手段の前記スリープ状態からの復帰時に、前記第１の制御手段と第２の制御手段との間で前記ステータス情報を転送することを特徴とする第６実施態様記載の画像形成装置。
【請求項９】  前記第１の制御手段は、前記第１の制御手段の前記スリープ状態への移行時に、前記ステータス情報を前記第２の制御手段へ転送するものであり、
前記第２の制御手段は、前記第１の制御手段の前記スリープ状態からの復帰時に、前記ステータス情報を前記第１の制御手段へ転送することを特徴とする第８実施態様記載の画像形成装置。
【請求項１０】  ネットワークに接続可能であって通常待機時より消費電力の少ない低消費電力モードを有する画像形成装置と、前記ネットワークを管理するサーバ装置と、前記ネットワークに接続される情報処理装置とで構成されるネットワークシステムにおける電力制御方法であって、
前記画像形成装置においてステータスを検知する検知工程と、
前記低消費電力モードへの移行時及び前記ステータス情報に変化があった時のみ、前記ステータス情報を前記画像形成装置から前記サーバ装置に通知する第１の通知工程と、
前記画像形成装置から送信される前記画像形成装置のステータス情報を前記サーバ装置で保持する保持工程と、
前記画像形成装置の低消費電力モード時に、前記情報処理装置からの前記画像形成装置への問い合わせを代行して、前記保持される前記画像形成装置のステータス情報を前記サーバ装置から前記情報処理装置に応答通知する第２の通知工程と、
を有することを特徴とする電力制御方法。
【請求項１１】  ネットワーク接続手段を介してネットワークに接続可能であって通常待機時より消費電力の少ない低消費電力モードを有する画像形成装置の電力制御方法であって、
前記画像形成装置のステータスを検知する検知工程と、
前記低消費電力モード時以外の時に、第１の制御部が前記ネットワーク接続手段から前記画像形成装置のステータスの問い合わせに応じて前記検知されたステータス情報を通知する通知工程と、
前記低消費電力モード時に、前記第１の制御部を通常動作時より消費電力の少ないスリープ状態に移行させるスリープ工程と、
前記低消費電力モード時に、第２の制御部が前記検知されたステータス情報を認識する認識工程と、
該認識されたステータスに変化があった場合に前記第１の制御部へ前記スリープ状態からの復帰を要求する信号を出力する復帰要求工程と、
を有することを特徴とする電力制御方法。
【請求項１２】  通常待機時より消費電力の少ない低消費電力モードを有し、前記画像形成装置の主たる制御を行う第１の制御手段と、前記低消費電力モードか否かに応じて、前記第１の制御手段の通常動作時より消費電力の少ないスリープ状態への移行及び前記スリープ状態からの復帰を制御する第２の制御手段と、する画像形成装置における電力制御方法であって、
前記画像形成装置のステータスを検知する検知工程と、
前記低消費電力モードか否かに応じて、前記検知されるステータス群をシリアル通信で前記第１の制御手段又は第２の制御手段へ選択的に通信する選択通信工程と、
を有することを特徴とする電力制御方法。